(57)【要約】【課題】二つの層からなるインソールを有することにより履き心地を向上可能な靴を提供する。【解決手段】インソール２０は、使用者の足底に接触する第一層２１、および当該第一層２１の下方に接合される第二層２２を有する。アウトソール３０は、地面に接触するようにインソール２０の下方に接合されている。ここで、第一層２１は、底部２１２と、底部１２１から上に突出して形成された複数のリブ２１４とを有する。なお、第一層２１は、当該第一層２１の高度が第二層２２の硬度より大きくなるように形成されている。【選択図】  図１
2012050675.tif 000002
【特許請求の範囲】
【請求項１】
使用者の足底に接触する第一層、および当該第一層の下方に接合される第二層を有するインソールと、
地面に接触するように前記インソールの下方に接合されるアウトソールと、
を備え、
前記第一層は、底部と、当該底部から上に突出して形成された複数のリブとを有し、
前記第一層の硬度は、前記第二層の硬度より大きいことを特徴とする靴。
【請求項２】
前記インソールの前記第一層は、日本工業規格ＪＩＳ  Ｓ６０５０または日本ゴム協会ＳＲＩＳ  ０１０１規定に準じる硬度計によって測定された硬度値が、３５から４０の間であることを特徴とする請求項１に記載の靴。
【請求項３】
前記インソールの前記第二層は、日本工業規格ＪＩＳ  Ｓ６０５０または日本ゴム協会ＳＲＩＳ  ０１０１規定に準じる硬度計によって測定された硬度値が、２５から３０の間であることを特徴とする請求項１に記載の靴。
【請求項４】
前記インソールの前記第一層は、前記リブの先端から前記底部までの高さが２から４ミリメートルであることを特徴とする請求項１に記載の靴。
【請求項５】
前記インソールの前記第一層の前記リブは、前記インソールの左側および右側まで横向きに延びて形成さることを特徴とする請求項１に記載の靴。
【請求項６】
前記インソールの前記第一層の前記リブは、一定の間隔を置いて配列されることを特徴とする請求項１に記載の靴。
【請求項７】
前記アウトソールは、前支持部位および後支持部位を有し、
前記前支持部位は、地面に接触する二つの前突起部と、当該二つの前突起部の間に形成された前陥没溝とを有することを特徴とする請求項１に記載の靴。
【請求項８】
前記アウトソールは、前支持部位および後支持部位を有し、
当該後支持部位は、地面に接触する二つの後突起部と、当該二つの後突起部の間に形成された後陥没溝とを有することを特徴とする請求項１に記載の靴。
【請求項９】
前記インソールの前記第一層および前記第二層は、日本工業規格ＪＩＳ  Ｓ６０５０または日本ゴム協会ＳＲＩＳ  ０１０１規定に準じる硬度計によって測定された硬度値の差が、５から１０の間であることを特徴とする請求項１に記載の靴。
【発明の詳細な説明】
【技術分野】
【０００１】
本発明は、靴に関する。
【背景技術】
【０００２】
一般の靴は、インソール、アウトソールおよびアッパーから構成される。インソールは使用者の足底に接触する。アウトソールは地面に接触するようにインソールの下方に接合される。アッパーとインソールとの間には、使用者の足を収容する空間が形成される。
【０００３】
一般的に言えば、アウトソールは硬度が比較的高いため、比較的よい耐摩耗性を有し、支持機能を達成することが可能である。インソールは硬度が比較的低いため、使用者の足底の圧力を緩衝できる柔軟性を有する。しかしながら、このような設計は、簡単過ぎて使用者から求められる履き心地を満足させることができないため、改善の余地がある。
【発明の概要】
【発明が解決しようとする課題】
【０００４】
本発明の主な目的は、上述した欠点を鑑み、二つの層からなるインソールを有することにより履き心地を向上可能な靴を提供することにある。
【課題を解決するための手段】
【０００５】
上述の目的を達成するために、本発明による靴は、インソールと、地面に接触するようにインソールの下方に接合されるアウトソールとを備える。
インソールは使用者の足底に接触する第一層と、第一層の下方に接合される第二層とを有する。第一層は底部と、底部から上に突出して形成された複数のリブとを有する。第一層の硬度は第二層の硬度より大きい。
【０００６】
インソールは日本工業規格（Ｊａｐａｎｅｓｅ  Ｉｎｄｕｓｔｒｉａｌ  Ｓｔａｎｄａｒｄ）ＪＩＳ  Ｓ６０５０または日本ゴム協会（Ｊａｐａｎ  Ｒｕｂｂｅｒ  Ａｓｓｏｃｉａｔｉｏｎ）ＳＲＩＳ  ０１０１規定に準じる硬度計によって測定された結果、第一層の硬度値は３５から４０の間であり、第二層の硬度値は２５から３０の間である。両者の硬度値の差は５から１０の間である。
【０００７】
使用者が靴を着用する際、インソールの第二層は圧縮変形が生じることによって使用者の足底の圧力を緩衝する。インソールの第一層のリブは足底の圧力方向に沿って湾曲の弾性変形が生じることによって足底の圧力を解放する効果をより良好にする。従って靴の履き心地が向上される。
【０００８】
本発明による靴についての詳細な構造、特徴、組み立てまたは使用方式は、後続の実施形態によって説明を進める。以下の詳細な説明および本発明により掲示される実施形態は本発明の請求範囲を制限することなく、説明のためであることは、本発明領域についての知識を有する人ならば理解できるはずである。本発明による靴は、このように、特に、二つの密度層からなるインソールを有するものである。
【図面の簡単な説明】
【０００９】
【図１】本発明の第１実施形態による靴を示す斜視図である。
【図２】本発明の第１実施形態による靴を示す分解斜視図である。
【図３】本発明の第１実施形態による靴を示す側面図である。
【図４】本発明の第１実施形態による靴の使用状態を示す部分拡大図である。
【図５】本発明の第２実施形態による靴を示す断面図である。
【発明を実施するための形態】
【００１０】
以下、本発明による靴を図面に基づいて説明する。
（第１実施形態）
図１から図３に示すように、本発明の第１実施形態による靴１０は、インソール２０、アウトソール３０およびアッパー４０を備える。
【００１１】
インソール２０は、使用者の足底に接触する第一層２１と、第一層２１の下方に接合される第二層２２とを有する。第二層２２は平板状を呈する。第一層２１は底部２１２と、底部２１２から上に突出して形成された複数のリブ２１４とを有する。リブ２１４はインソール２０の左側および右側まで横向けに伸びて形成さ、かつ一定の距離を置いて配列される。リブ２１４の先端から第一層２１の底部２１２までの高さＬは２から４ミリメートルである。
【００１２】
インソール２０の第一層２１および第二層２２は、エチレン−酢酸ビニル共重合体（Ｅｔｈｙｌｅｎｅ  Ｖｉｎｙｌ  Ａｃｅｔａｔｅ  Ｃｏｐｏｌｙｍｅｒ、ＥＶＡ）、ポリウレタン（Ｐｏｌｙｕｒｅｔｈａｎｅ、  ＰＵ）またはポリ塩化ビニル（Ｐｏｌｙｖｉｎｙｌｃｈｌｏｒｉｄｅ、  ＰＶＣ）などの重合体を原料とする発泡材料から構成されてもよい。
【００１３】
第一層２１の材料の密度は第二層２２の材料の密度より大きい。第一層２１の硬度は第二層２２の硬度より大きい。本形態のインソール２０は、日本工業規格ＪＩＳ  Ｓ６０５０、または日本ゴム協会ＳＲＩＳ  ０１０１規定に準じる硬度計によって測定された結果、第一層２１の硬度値は３７、第二層２２の硬度値は２８である。
【００１４】
実際に製造する際には、インソール２０の硬度を自由に調整することが可能である。第一層２１の硬度値の測定の結果は、３５から４０の間が比較的好ましい。第二層２２の硬度値は、２５から３０の間が比較的好ましい。第一層２１と第二層２２との硬度値の差は、５から１０の間が比較的好ましい。
【００１５】
アウトソール３０は、インソール２０の第二層２２の下方に接合されるミッドソール３１と、ミッドソール３１の下方に接合される底層３２とを有する。ミッドソール３１は平板状であり、三つの装着孔３１２を有する（図２参照）。底層３２は厚さの比較的小さい五つの片状体３２２と、厚さの比較的大きい四つのブロック３２４とから構成される。
【００１６】
ブロック３２４は二つの片状体３２２間に接合されるため、アウトソール３０の底部に、前切欠部位３３、前支持部位３４、後支持部位３５および後切欠部位３６が、前から後へこの順に形成される（図３参照）。前支持部位３４は、地面に接触する二つの前突起部３４２と、二つの前突起部３４２間に形成された前陥没溝３４４とを有する。後支持部位３５は、地面に接触する二つの前突起部３５２と、二つの前突起部３５２間に形成された前陥没溝３５４とを有する。
【００１７】
アッパー４０は、インソール２０の上方に配置され、かつミッドソール３１の装着孔３１２内に制限される三つの固定部４２を有する（図２参照）。アッパー４０とインソール２０との間には使用者の足を収容できる空間が形成されるため、使用者が歩く時、足と靴１０とを分離させないことができる。
【００１８】
使用者は、靴１０を着用する際、アウトソール３０の特殊構成により、水を渡るとき足底が濡れることを減少させ、足底の圧力を確実に解放することが可能なだけでなく、順調に歩くことが可能である。
図４に示すように、使用者の足底がインソール２０に接触する時、インソール２０は良好な柔軟性のある第二層２２が弾性圧縮され、変形すると同時に使用者の足底の圧力を緩衝する。インソール２０の第一層２１のリブ２１４は使用者の足底の圧力方向に沿って湾曲の弾性変形が生じるため、インソール２０によって足底の圧力を解放する効果をより良くし、靴１０の履き心地を向上させることが可能である。
【００１９】
（第２実施形態）
上述したインソール２０はサンダル以外の靴、例えば図５に示した靴に適用することができる。アッパー４０およびアウトソール３０は靴の種類に応じ変化させてもよい。
また、インソール２０のリブ２１４は横方向に沿って左右に延びて形成されるとは限らず、横方向に沿って前後に延びるか任意の方向に延びて形成されてもよい
【００２０】
以上、本発明は、上記実施形態になんら限定されるものではなく、発明の趣旨を逸脱しない範囲において種々の形態で実施可能である。
【符号の説明】
【００２１】
１０    ・・・  靴  
２０    ・・・  インソール  
２１    ・・・  第一層  
２１２  ・・・  底部  
２１４  ・・・  リブ  
２２    ・・・  第二層  
３０    ・・・  アウトソール  
【図１】
2012050675.tif 000003
【図２】
2012050675.tif 000004
【図３】
2012050675.tif 000005
【図４】
2012050675.tif 000006
【図５】
2012050675.tif 000007